(57)【要約】【課題】組立時に配線を確認する作業が困難とならない位置に重量物であるトランス用箱を設けることのできる空気調和装置の室外機を提供する。【解決手段】箱状のケーシング１１と、ケーシング１１内に設けられるトランス用箱２０と、ケーシング１１の一側面に横渡しで設けられトランス用箱２０の側部と固定される側部保持部材３０と、トランス用箱２０の底部に固定されることでトランス用箱を支える底部保持部材７０と、を備えた。【選択図】図２
2018013309.tif 000002
【特許請求の範囲】
【請求項１】
箱状のケーシングと、
前記ケーシング内に設けられるトランス用箱と、
前記ケーシングの一側面に横渡しで設けられ前記トランス用箱の側部と固定される側部保持部材と、
前記トランス用箱の底部に固定されることで前記トランス用箱を支える底部保持部材と、
を備えることを特徴とする空気調和装置の室外機。
【請求項２】
前記トランス用箱は、前記側部保持部材と前記トランス用箱とを固定する側部固定部材を備えることを特徴とする請求項１に記載の空気調和装置の室外機。
【請求項３】
前記側部固定部材は、
前記側部保持部材の上部に載る爪部と、
前記側部保持部材と前記トランス用箱とを固定する側部固定部と、を備えることを特徴とする請求項２に記載の空気調和装置の室外機。
【請求項４】
前記底部保持部材は、
前記トランス用箱の底部に固定される底部固定部と、
前記底部固定部と前記トランス用箱との間に設けられる上弾性体と、
前記底部固定部と固定具との間に設けられる下弾性体と、を備えることを特徴とする請求項１から請求項３の何れか一項に記載の空気調和装置の室外機。
【請求項５】
前記ケーシング内に電装箱、圧縮機をさらに備え、
前記トランス用箱は、上端が前記電装箱の下端よりも低い位置であり、下端が前記圧縮機の上端よりも高い位置に設けられることを特徴とする請求項１から請求項４の何れか一項に記載の空気調和装置の室外機。
【請求項６】
前記ケーシングの下部に前記ケーシングの周方向に沿い所定の高さを有する木枠を備え、
前記木枠は、前記ケーシングの角部の下方に設けられる支え部と、前記各支え部の上部どうし又は前記各支え部の下部どうしを連結する連結部と、を備えることを特徴とする請求項１から請求項５の何れか一項に記載の空気調和装置の室外機。
【発明の詳細な説明】
【技術分野】
【０００１】
本発明は、空気調和装置の室外機に関するものであり、特に室外機に設けられるトランス用箱に関する。
【背景技術】
【０００２】
従来、空気調和装置の室外機に設けられる電装箱には、圧縮機や送風機などを制御するための電装部品と、商用電源の電源電圧を変圧するトランスとが収容されたものが知られている。
また、この商用電源の電源電圧が高くなるとトランスが重量物となり電装品箱の取り付け作業が困難となることから、トランスが重量物である場合には、トランスを収容するトランス用箱を電装箱とは別途に設け、トランス用箱を電装箱に取り付けることで保持するものが知られている（例えば、特許文献１参照）。
【先行技術文献】
【特許文献】
【０００３】
【特許文献１】特開２０１６−３８１３０号公報
【発明の概要】
【発明が解決しようとする課題】
【０００４】
しかしながら、電装箱に直接トランス用箱が取り付けられている場合、組立時に配線を確認する作業が困難であるという問題があった。
本発明は、前記従来の課題を解決するものであり、組立時に配線を確認する作業が困難とならない位置に重量物であるトランス用箱を設けることのできる空気調和装置の室外機を提供することを目的とする。
【課題を解決するための手段】
【０００５】
前記従来の課題を解決するために、本発明の空気調和装置の室外機は、箱状のケーシングと、ケーシング内に設けられるトランス用箱と、ケーシングの一側面に横渡しで設けられトランス用箱の側部と固定される側部保持部材と、トランス用箱の底部に固定されることでトランス用箱を支える底部保持部材と、を備えることを特徴とする。
これによって、トランス用箱の位置を自在に決めることができ、組立時に配線を確認する作業が困難とならない位置に重量物であるトランス用箱を設けることのできる空気調和装置の室外機を提供できる。
【発明の効果】
【０００６】
本発明の空気調和装置では、組立時に配線を確認する作業が困難とならない位置に重量物であるトランス用箱を設けることのできる空気調和装置の室外機を提供できる。
【図面の簡単な説明】
【０００７】
【図１】本発明の実施形態における空気調和装置の室外機のカバーを外した状態の概略を示す斜視図
【図２】本発明の実施形態における室外機の正面図
【図３】本発明の実施形態における室外機の側面断面図
【図４】本発明の実施形態におけるトランス用箱の斜視図
【図５】本発明の実施形態における底部固定部材の斜視図
【図６】本発明の実施形態におけるトランス用箱の斜視図
【図７】本発明の実施形態におけるトランス用箱の側面図
【図８】本発明の実施形態における脚部固定部の斜視図
【発明を実施するための形態】
【０００８】
第１の発明は、箱状のケーシングと、前記ケーシング内に設けられるトランス用箱と、前記ケーシングの一側面に横渡しで設けられ前記トランス用箱の側部と固定される側部保持部材と、前記トランス用箱の底部に固定されることで前記トランス用箱を支える底部保持部材と、を備えることを特徴とする空気調和装置の室外機である。
この発明によれば、トランス用箱の位置を自在に決めることができ、組立時に配線を確認する作業が困難とならない位置にトランス用箱を設けることのできる空気調和装置の室外機を提供できる。
【０００９】
第２の発明は、前記トランス用箱は、前記側部保持部材と前記トランス用箱とを固定する側部固定部材を備えることを特徴とする空気調和装置の室外機である。
この発明によれば、側部保持部材とトランス用箱とを、簡易に強固に固定できる。
【００１０】
第３の発明は、前記側部固定部材は、前記側部保持部材の上部に載る爪部と、前記側部保持部材と前記トランス用箱とを固定する側部固定部と、を備えることを特徴とする空気調和装置の室外機である。
この発明によれば、側部保持部材とトランス用箱とを、簡易に強固に固定できる。
【００１１】
第４の発明は、前記底部保持部材は、前記トランス用箱の底部に固定される底部固定部と、前記底部固定部と前記トランス用箱との間に設けられる上弾性体と、前記底部固定部と固定具との間に設けられる下弾性体と、を備えることを特徴とする空気調和装置の室外機である。
この発明によれば、上弾性体および下弾性体の組み合わせを活用することで例えば室外機を輸送運搬等する際の上下振動を吸収し、底部保持部材の振動を緩和でき、重量物であるトランス用箱を支える底部保持部材の耐久性を向上できる。
【００１２】
第５の発明は、前記ケーシング内に電装箱、圧縮機をさらに備え、前記トランス用箱は、上端が前記電装箱の下端よりも低い位置であり、下端が前記圧縮機の上端よりも高い位置に設けられることを特徴とする空気調和装置の室外機である。
この発明によれば、空気調和装置の室外機が降雪地域に設置された場合にも、トランス用箱が圧縮機の高さ以上の高さに設けられるため、トランス用箱が雪に埋もれにくく、また、トランス用箱が電装箱の下方にあるため、電装箱に隠れることで雨水等がトランス用箱に触れにくい。これに加えて、従来からの圧縮機の配置場所に影響を与えない位置にトランス用箱を設けることができる。
【００１３】
第６の発明は、前記ケーシングの下部に前記ケーシングの周方向に沿い所定の高さを有する木枠を備え、前記木枠は、前記ケーシングの角部の下方に設けられる支え部と、前記各支え部の上部どうし又は前記各支え部の下部どうしを連結する連結部と、を備えることを特徴とする空気調和装置の室外機である。
この発明によれば、室外機を移動する場合に、例えばフォークリフトのツメを木枠の各支え部の間に挿入し、室外機を移動することが可能となり、室外機の移動が容易となる。このとき、ケーシングの中央部に木枠の支えがないため、室外機の移動時にトランス用箱の上下振動があるが、上弾性体および下弾性体の組み合わせを用いた底部保持部材を用いることで上下振動に耐えることができる。
【００１４】
以下、本発明の実施の形態について、図面を参照しながら説明する。なお、本実施の形態によって本発明が限定されるものではない。
【００１５】
（実施の形態）
図１は、本発明の実施形態における空気調和装置の室外機１０のカバー部材を外した状態の概略を示す斜視図である。図２は、室外機１０の正面図である。図３は、室外機１０の側面断面図である。
図１に示すように、室外機１０は、箱型のケーシング１１を備えており、ケーシング１１は、ケーシング１１の下部を支持する２本のベースフレーム１２を備えている。ベースフレーム１２は、ケーシング１１の互いに対向する辺に設置されており、各ベースフレーム１２の両端部には、上方に延在する支柱１３がそれぞれ立設されている。
ベースフレーム１２の両端部には、各支柱１３の下部を連結する下部フレーム１４が取り付けられている。図１に示すケーシング１１の正面である一側面は、図示していないが、カバー部材で被覆される。
ケーシング１１の下部には、底板１５が取り付けられており、ケーシング１１の上部には、天板１６が取り付けられている。天板１６には、格子状の排気口１７が形成されている。
一方の下部フレーム１４の上方には、下部フレーム１４とほぼ平行に延在する側部保持部材３０が取り付けられている。
【００１６】
また、ケーシング１１の内部下方には、圧縮機を収容する圧縮機容器１８が設置されている。本実施形態においては、圧縮機容器１８には、２つの圧縮機が収容されている。また、ケーシング１１の内部下方には、図示しないがオイルセパレータ、アキュムレータなどが収容されている。
ケーシングの内部には、ケーシング１１の内面に沿うように平面視コ字状に形成された熱交換器１９が配置されている。
また、ケーシング１１の上方には、排気口１７に対向するように送風ファン２１が設置されている。本実施形態の室外機１０は、送風ファン２１を回転駆動させることで、ケーシング１１の側面から空気を取り入れ、熱交換器１９を通って熱交換した後の空気を上部の排気口１７から排出するいわゆるトップフロー式の室外機１０となっている。
また、ケーシング１１の正面側の上方には、所定の電子回路基板などを備えた電装箱２５が配置されている。
電装箱２５の下方近傍であって側部保持部材３０には、トランス用箱２０が設置されている。トランス用箱２０の底面２８は、底板１５に支持された底部保持部材７０により支持されている。
【００１７】
図３に示すように、このトランス用箱２０の上端は、電装箱２５の下端よりも低い位置であり、トランス用箱２０の下端は、圧縮機容器１８に縦置きに設けられる図示しない圧縮機の上端よりも高い位置にある。すなわち、トランス用箱２０は、上端が電装箱２５の下端よりも低い位置であり、下端が圧縮機の上端よりも高い位置に設けられている。
また、上面視で電装箱２５とトランス用箱２０とは重なる位置に配置されており、電装箱２５は、トランス用箱２０よりも上方に配置されている。
【００１８】
トランス用箱２０が圧縮機の高さ以上の高さに設けられるため、例えば降雪時に雪が排気口１７から室外機１０に侵入しても、トランス用箱２０は雪に埋もれにくく、また、降雨時に雨水が排気口１７から室外機１０に侵入してもトランス用箱２０が電装箱２５と上面視で重なる位置かつ下方にあるため、電装箱２５に隠れることで雨水等がトランス用箱２０に触れにくい。これに加えて、従来からの圧縮機の配置場所に影響を与えない位置にトランス用箱２０を配置できる。
【００１９】
室外機１０の下部には、ケーシング１１の周方向に沿い所定の高さを有する木枠２６が設けられている。この木枠２６は、ケーシング１１の角部の下方、すなわち本実施の形態では支柱１３の下方に設けられる支え部２７と、各支え部２７の上部どうし又は各支え部２７の下部どうしを連結する連結部２９Ａ、２９Ｂと、を備える。そのため、各支え部２７の間には、間隙Ｓが形成されている。
各支え部２７の上部どうしを連結する連結部２９Ａは、ベースフレーム１２に沿って設けられている。すなわち、各支え部２７の上部どうしを連結する連結部２９Ａは、ケーシング１１の互いに対向する辺に設けられている。各支え部２７の下部どうしを連結する連結部２９Ｂは、ベースフレーム１２の設けられていないケーシング１１の互いに対向する辺に沿って設けられている。
間隙Ｓは、室外機１０を運搬する場合に用いられる例えば一般的なフォークリフトのツメが挿入可能な程度の所定の高さを備え、また、所定の幅を備えるように形成されている。
【００２０】
図４は、本発明の実施形態におけるトランス用箱の斜視図である。図５は、底部固定部材の斜視図である。図６は、トランス用箱の斜視図である。図７は、トランス用箱の側面図である。図８は、脚部固定部の斜視図である。
【００２１】
トランス用箱２０の内部に収容されるトランスは、例えば４６０Ｖの電源に対応可能なものであり略７．５ｋｇの重量物である。このトランス用箱２０は、一つの側面に側部固定部材６０を備える。この側部固定部材６０は、側部保持部材３０と、トランス用箱２０とを固定する部材である。
【００２２】
側部固定部材６０は、側部保持部材３０の上部に載る爪部６１と、側部保持部材３０とトランス用箱２０とを固定する側部固定部６２と、を備える。
図７に示すように、側部固定部６２とトランス用箱２０とは、側部固定部６２の高さ方向略中央部において、トランス用箱側面ねじ６３によりねじ止め固定されている。また、側部固定部６２は、高さ方向の略下方部において、側部保持部材ねじ６４により側部保持部材３０とともにトランス用箱２０にねじ止め固定されている。
側面視で凸部３１と凹部３２との差Ａは、爪部６１の立ち上がり方向の高さＢと略一致するように構成されている。爪部６１は、側部保持部材３０に係合している。
【００２３】
図７に示すように、側部保持部材３０は、側面視で凹凸状の形状を有している。すなわち、側部保持部材３０は、高さ方向の中央部に凸部３１を備え、この凸部３１の上下に凹部３２を備える。トランス用箱２０と側部固定部材６０と側部保持部材３０とを固定する際、この凸部３１がトランス用箱側面ねじ６３を避けるように配置されている。
【００２４】
図３に示すように、底部保持部材７０は、トランス用箱２０に固定される底部固定部材７１と、この底部固定部材７１に固定され高さ方向に延びる脚部７２と、脚部７２の下部と室外機１０の底板１５とを繋ぐ室外機固定部材８８と、を備える。
【００２５】
図４から図７に示すように、底部固定部材７１は、トランス用箱２０の底面２８（底部）に固定される底部固定部７３と、脚部７２と固定される脚部固定部７４と、を備える。
脚部固定部７４は、上面視で略コ字状に形成されている。
底部固定部７３は、脚部固定部７４の各面の上端部から脚部固定部７４に対して略垂直に３方向に３箇所延びている。
底部固定部７３と底面２８との間、すなわち底部固定部７３の上面には、上弾性体７５が備えられる。底部固定部７３の下面には、下弾性体７６が備えられる。この上弾性体７５および下弾性体７６は、例えばゴム、バネであるなど、上下振動の際に振動を吸収できる材質のものであればよい。
上弾性体７５、底部固定部７３、下弾性体７６は、底部固定ねじ７７により、座金７８、スペーサ７９を介して下方からトランス用箱２０に固定されている。
このように、底部固定部７３を３か所設け、底部固定ねじ７７により底面２８に固定することで、トランス用箱２０を支える３点の箇所を決めることができ、安定したバランスよい保持が可能となる。なお、トランス用箱２０の底面２８に底部保持部材７０を設ける位置は、トランス用箱２０の重心に応じて判断できる。
【００２６】
脚部固定部７４には、脚部７２の上部が脚部固定ねじ８５により固定されている。
脚部７２は、縦長に形成されている。脚部７２の下部には、図８に示すように、室外機固定部材８８が固定されている。
【００２７】
この室外機固定部材８８は、側面視で略Ｌ字状に形成されている。
室外機固定部材８８は、脚部７２と固定される立ち上がり部８１と、室外機１０の底板１５に固定される基部８２と、を備える。
立ち上がり部８１は、上面視で略コ字状に形成される脚部７２の内側に配置され、脚部７２の外側から室外機固定部材固定ねじ８３により固定されている。
基部８２は、室外機１０の底板１５に室外機固定ねじ８４により固定されている。
【００２８】
以上のように構成された室外機１０のトランス用箱２０の取り付けについて、以下その動作、作用を説明する。
まず、側部保持部材３０にトランス用箱２０を固定する。このとき、まず、側部保持部材３０の上部に爪部６１を載せる。そして、この状態で側部保持部材３０の外側から、側部保持部材ねじ６４により、側部保持部材３０とともに側部固定部材６０をトランス用箱２０にねじ止めにより固定する。この固定は強固であり、この状態で既に側部保持部材３０によりトランス用箱２０を保持できている。
【００２９】
次に、トランス用箱２０の底面２８に底部保持部材７０を固定する。このとき、底面２８と底部固定部７３との間に上弾性体７５を挟む。そして、底部固定部７３の下方に下弾性体７６を底部固定ねじ７７により座金７８、スペーサ７９を介して挟む。そして、底部固定ねじ７７により、底部固定部７３をトランス用箱２０の底面に固定する。
底部保持部材７０とトランス用箱２０との固定に上弾性体７５と下弾性体７６を挟むことで、側部保持部材３０とトランス用箱２０との固定が強固なものであっても、室外機１０のトラック等での運搬の場合における底部保持部材７０の上下振動を十分に緩和できる。
このように、トランス用箱２０は、側部保持部材３０および底部保持部材７０により、室外機１０内部の空間に保持される。
【００３０】
室外機１０を移動する際には、木枠２６に形成された間隙Ｓに、例えばフォークリフトのツメを挿入することで、室外機１０を持ち上げ、移動する。
【００３１】
以上のように、本実施の形態においては、箱状のケーシング１１と、ケーシング１１内に設けられるトランス用箱２０と、ケーシング１１の一側面に横渡しで設けられトランス用箱２０の側部と固定される側部保持部材３０と、トランス用箱２０の底部に固定されることでトランス用箱を支える底部保持部材７０と、を備えた。
この構成によれば、トランス用箱２０の位置を自在に決めることができ、組立時に配線を確認する作業が困難とならない位置に重量物であるトランス用箱２０を設けることのできる空気調和装置の室外機１０を提供できる。
【００３２】
また、本実施の形態によれば、トランス用箱２０は、側部保持部材３０とトランス用箱２０とを固定する側部固定部材６０を備えており、この側部固定部材６０は、側部保持部材３０の上部に乗る爪部６１と、側部保持部材３０とトランス用箱２０とを固定する側部固定部６２と、を備えている。
この構成によれば、側部保持部材３０とトランス用箱２０とを、簡易に強固に固定できる。
【００３３】
また、本実施の形態によれば、底部保持部材７０は、トランス用箱２０の底面２８（底部）に固定される底部固定部７３と、底部固定部７３とトランス用箱２０との間に設けられる上弾性体７５と、底部固定部７３と底部固定ねじ７７（固定具）との間に設けられる下弾性体７６と、を備えている。
この構成によれば、上弾性体７５および下弾性体７６の組み合わせを活用することで例えば室外機１０を輸送運搬等する際の上下振動を吸収し、底部保持部材７０の振動を緩和でき、重量物であるトランス用箱２０を支える底部保持部材７０の耐久性を向上できる。
【００３４】
また、本実施の形態によれば、ケーシング１１内に電装箱２５、圧縮機をさらに備え、トランス用箱２０は、上端が電装箱２５の下端よりも低い位置であり、下端が圧縮機容器１８に縦置きに設けられる圧縮機の上端よりも高い位置に設けられている。
この構成によれば、室外機１０が降雪地域に設置された場合にも、トランス用箱２０が圧縮機の高さ以上の高さに設けられるため、トランス用箱２０が雪に埋もれにくく、また、トランス用箱２０が電装箱２５の下方にあるため、電装箱２５に隠れることで雨水等がトランス用箱２０に触れにくい。これに加えて、従来からの圧縮機の配置場所に影響を与えない位置にトランス用箱２０を設けることができる。
【００３５】
また、本実施の形態によれば、ケーシング１１の下部にケーシング１１の周方向に沿い所定の高さを有する木枠２６を備え、木枠２６は、ケーシング１１の角部、すなわち支柱１３の下方に設けられる支え部２７と、各支え部２７の上部どうし又は各支え部２７の下部どうしを連結する連結部２９と、を備えている。
この構成によれば、室外機１０を運搬する場合に、例えばフォークリフトのツメを木枠２６の各支え部２７の間、すなわち間隙Ｓに挿入し、室外機１０を移動することが可能となり、室外機１０の移動が容易となる。このとき、ケーシング１１の中央部には木枠２６の支えがないため、室外機１０の移動時にトランス用箱２０の上下振動があるが、上弾性体７５および下弾性体７６の組み合わせを用いた底部保持部材７０を備える本実施の形態によれば、トランス用箱２０の上下振動に耐えることができるため、フォークリフトでの移動に適した木枠２６を設けることができる。
【００３６】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
例えば、本実施の形態による固定は、ねじ止めによる固定を説明したが、必ずしもねじ止めに限るものではない。一般的な固定方法は含む趣旨である。
また、例えば、底部保持部材として、圧縮機容器１８を用いるなどしてもよい。
【産業上の利用可能性】
【００３７】
以上のように、本発明の空気調和装置の室外機によれば、電装箱とは別途設けたトランス用箱を適宜に好適な場所に設けることができる。
【符号の説明】
【００３８】
１０  室外機
１１  ケーシング
１２  ベースフレーム
１３  支柱
１８  圧縮機容器
２０  トランス用箱
２５  電装箱
２６  木枠
２７  支え部
２８  トランス用箱の底面（底部）
２９  連結部
３０  側部保持部材
６０  側部固定部材
６１  爪部
６２  側部固定部
７０  底部保持部材
７１  底部固定部材
７２  脚部
７３  底部固定部
７４  脚部固定部
７５  上弾性体
７６  下弾性体
７７  底部固定ねじ
Ｓ  間隙
【図１】
2018013309.tif 000003
【図２】
2018013309.tif 000004
【図３】
2018013309.tif 000005
【図４】
2018013309.tif 000006
【図５】
2018013309.tif 000007
【図６】
2018013309.tif 000008
【図７】
2018013309.tif 000009
【図８】
2018013309.tif 000010